(57)【特許請求の範囲】
【請求項１】
耳から下の表情筋を被覆体で被覆する美容補助具であって、
前記被覆体が、通気性弾性構造体からなり、その形状が緩いＶ字状の帯状体で左右対称であり、前記耳から下の表情筋を被覆する被覆部と、該被覆部を顔に保持する保持部とからなり、該被覆部の中央部の幅が顎下部に当接する領域まで延びており、前記被覆体の幅が該中央部から保持部に向かって狭くなることを特徴とする美容補助具。
【請求項２】
装着時に前記被覆部の中央部に当接する下顎の先端から保持部側へ引っ張り上げられることを特徴とする請求項１に記載の美容補助具。
【請求項３】
前記引っ張り上げられる方向が下顎と後頭部の先端部位通過線又は下顎と耳介裏側の最長の通過線に沿った方向であることを特徴とする請求項２に記載の美容補助具。
【請求項４】
前記帯状体の上端と平行な平行線と前記中央部の幅の中心を通る中心線が交叉する角度が１０〜２０度の範囲にあることを特徴とする請求項１に記載の美容補助具。
【請求項５】
前記保持部に耳穴部が設けられていることを特徴とする請求項１に記載の美容補助具。
【請求項６】
前記耳穴部が耳を通る大きさの穴又はスリット線で形成されていることを特徴とする請求項５に記載の美容補助具。
【請求項７】
前記弾性構造体が等方的に伸縮性を有することを特徴とする請求項１乃至６の何れか一項に記載の美容補助具。
【請求項８】
前記弾性構造体のそれぞれの方向における１００％伸長の応力が、１０ｇ／ｃｍ〜１０００ｇ／ｃｍの範囲内にあることを特徴とする請求項１乃至７の何れか一項に記載の美容補助具。
【請求項９】
前記弾性構造体が、ＪＩＳ  Ｌ  １０９６に準拠した１００％伸長回復率で５０％〜１００％であることを特徴とする請求項１乃至８の何れか一項に記載の美容補助具。
【請求項１０】
前記スリット線がその上端部が下端部より左右に広がる方向に傾斜しており、少なくとも２個のスリット線が平行に設けられていることを特徴とする請求項６に記載の美容補助具。
【請求項１１】
前記スリット線の形状が左右対称のノの字形であることを特徴とする請求項１０に記載の美容補助具。
【請求項１２】
前記被覆体の保持部の長さがその両端部で接合できる長さであることを特徴とする請求
項１に記載の美容補助具。
【請求項１３】
前記保持部の端部の下方部が上方部より長いことを特徴とする請求項１２に記載の美容補助具。
【請求項１４】
前記上方部及び下方部に接合部が設けられていることを特徴とする請求項１３に記載の美容補助具。
【請求項１５】
前記接合部が面ファスナー、フック、ボタン又は粘着性テープからなることを特徴とする請求項１４に記載の美容補助具。
【請求項１６】
前記美容補助具が保持部の短い被覆体とヘアーバンド部からなり、該被覆体の両端部に接合部を有することを特徴とする請求項１に記載の美容補助具。
【請求項１７】
前記ヘアーバンド部が帯状体でその両端部と中間部に接合部を有することを特徴とする
請求項１６に記載の美容補助具。
【請求項１８】
前記ヘアーバンド部が輪状体でその中間部に接合部を有することを特徴とする請求項１７に記載の美容補助具。
【請求項１９】
前記弾性構造体が、ポリウレタン樹脂、ナイロン樹脂、ポリエステル樹脂、シリコン樹脂、ＮＲ、ＮＢＲから選ばれた少なくとも１つの素材から形成されたものであることを特徴とする請求項１乃至１８の何れか一項に記載の美容補助具。
【発明の詳細な説明】
【技術分野】
【０００１】
本発明は、顔の筋肉、特に耳から下の表情筋の弛みの矯正、皺の伸展等を予防すると共に改善することができる美容補助具に関する。
【背景技術】
【０００２】
人間は、皮膚及び筋肉組織、特に表情筋が加齢に伴い皮膚の張りや筋肉の弾性を失い、加齢が顔の弛みや皺を発生させる原因となっている。
特に、経済的なゆとりが増えると共に、女性の間では、顔の皮膚の張りや筋肉の弾性の喪失をできる限り少なくして、外見を若く保ち続けたい願望が近年増大する傾向にある。  図１は人間の顔の筋組織を示す説明図で、この図で顔の筋肉と加齢に伴うしわやタルミの関係を説明する。
【０００３】
（ａ）眼輪筋は目の周りを囲んでおり、まぶたを閉じたり開いたりする筋肉で、全体に薄いために素早く動くが、筋力低下は目尻のシワや上まぶたのタルミにつながりやすい。（ｂ）小頬骨筋は口元を斜めに引き上げる、笑顔づくりに大切な筋肉である。頬のこわばりをなくし、それによって自然な笑顔になるが、この筋肉が衰えると頬にたるみができやすい。（ｃ）大頬骨筋は口角と頬を上げて大きく笑うときに使う筋肉で、これが衰えると鼻の横のしわ、タルミになる。（ｄ）頬筋は上下のアゴの関節から、口の両端に向かって伸びる筋肉で、口角を斜め上に持ち上げる筋肉であるが、この筋肉が老化すると口元がたるみやすくなる。（ｅ）口輪筋は唇を取り囲む筋肉で筋力の衰えは口角の下がった老けた印象を与える口元の原因になる。（ｆ）笑筋は口角を外側に伸ばす筋肉で、エラから口元に伸びており、チャーミングなエクボをつくる。しかし、弾力を失うと口元がだらしなく見えやすくなる。（ｇ）オトガイ筋は唇の下からあごに伸びる筋肉で、筋力が低下すると二重あごになる。
この顔の弛み等の発生を予防及び改善することを目的として、種々の提案がなされている。
【０００４】
例えば、弛みの目立ち易い頬骨の下や目元の筋肉を引き締めることを目的とし、下顎を下顎被覆部５で、頬を頬被覆部６で、そして、頭部を頭部被覆部７で被覆するよう構成された、複雑な形状の被覆体１を下顎と頭頂部との間に装着して、頬骨付近の筋肉を押し上げる頬骨付近押上体２、そして、こめかみ付近の筋肉を押し上げるこめかみ付近押上体３を被覆部６の内側に突出して設けられた美容具が提案されている（特許文献１参照）。
【０００５】
また、頬骨の下や目元の筋肉を引き締めて顔の頭頂部３から外側眼瞼交連部１２近傍にわたる領域を緊張させることを目的とし、特許文献２の図１に示す長手方向両側に各目尻被覆部１３が左右対称に形成された構造の顔面用弛緩予防および改善具１を、下顎と頭頂部との間に装着して、上記耳下腺咬筋部５、外側眼瞼交連部１２、オトガイ部６等に引張力を作用させることができる改善具が提案されている（特許文献２参照）。
【０００６】
そして、繊維が特定方向にのみ配列した不織布と、うすい弾性フィルムとの積層基材を使用したパック用化粧用シートが知られている（特許文献３参照）。このパック用化粧用シートは、全体として長方形であり、その両端部に円弧状の耳通し孔、十字状スリット線又はコの字状スリット線からなる耳掛け部が設けられている。積層基材の不織布には化粧料が保持されており、耳通し穴を両端側に設けた帯状シートであって、マスクのように両耳に掛けて装着することで口元から顎にかけての部分を覆うことができるように構成されており、ずり落ちず、覆われた部位にフィットすることによってパック効果をもたらすとともに、皮膚面に適度の圧力を与えられるものである。
【０００７】
【特許文献１】特開２００７−２０７０９号公報
【特許文献２】特開２００６−２４７１９５号公報
【特許文献３】実用新案登録第３１２０５０２号公報
【発明の開示】
【発明が解決しようとする課題】
【０００８】
上記特許文献１の美容具及び特許文献２の改善具は、頬付近の筋肉やオトガイ筋を引き締めることはできても、下の眼輪筋、大頬骨筋、小頬骨筋、上の口輪筋を含む口元周辺の表情筋を引き締めることができない。又、前記美容具及び改善具が下顎と頭頂部付近の部位で装着されているために、顔から外れやすく、そのために美容具を装着した際のフィット感が悪いという問題がある。更に、上記美容具及び改善具は、その構造が複雑なために製造コスト及び作成する作業時間もかかるという問題がある。
一方、上記特許文献３のパック用化粧用シートは、大頬骨筋、小頬骨筋、上の口輪筋を含む口元周辺の表情筋を引き締めることができず、また、その形状が全体として長方形であり、耳掛け部が円弧状の耳通し孔、十字状スリット線又はコの字状スリット線から構成されているために、左右両端側に本体部７が引っ張られるだけで、オトガイ筋、下の口輪筋や頬付近の筋肉を引き上げて引き締めることが未だ不十分であった。特に、着用者によって顔の大きさや凹凸形状は千差万別であり、このような多種多様な個人差の大きい顔の立体的形状に即して表情筋全体に作用して引き締めるということは不可能であった。
【０００９】
本願発明は、上記問題を解決するために、簡便な構造でありながらも耳から下の表情筋全体を引き上げて引き締めることができ、その引き締めが顔の三次元的形状に関する個人差に対応してでき、顔の筋肉の弛みの矯正、皺の伸展等を予防し改善することができる美容補助具を提供することを課題とする。
【課題を解決するための手段】
【００１０】
上記課題を達成するために、請求項１に係る発明の美容補助具は、耳から下の表情筋を被覆体で被覆する美容補助具であって、前記被覆体が、通気性弾性構造体からなり、その形状が緩いＶ字状の帯状体で左右対称であり、前記耳から下の表情筋を被覆する被覆部と、該被覆部を顔に保持する保持部とからなり、該被覆部の中央部の幅が顎下部に当接する領域まで延びており、前記被覆体の幅が該中央部から保持部に向かって狭くなることを特徴とする。
同様に、請求項２に係る発明の美容補助具は、装着時に前記被覆部の中央部に当接する下顎の先端から保持部側へ引っ張り上げられることを特徴とする。
請求項３に係る発明の美容補助具は、前記引っ張り上げられる方向が下顎と後頭部の先端部位通過線又は下顎と耳介裏側の最長の通過線に沿った方向であることを特徴とする。
請求項４に係る発明の美容補助具は、前記帯状体の上端と平行な平行線と前記中央部の幅の中心を通る中心線が交叉する角度が１０〜２０度の範囲にあることを特徴とする。
請求項５に係る発明の美容補助具は、前記保持部に耳穴部が設けられていることを特徴とする。
請求項６に係る発明の美容補助具は、前記耳穴部が耳を通る大きさの穴又はスリット線で形成されていることを特徴とする。
請求項７に係る発明の美容補助具は、前記弾性構造体が等方的に伸縮性を有することを特徴とする。
請求項８に係る発明の美容補助具は、前記弾性構造体のそれぞれの方向における１００％伸長の応力が、１０ｇ／ｃｍ〜１０００ｇ／ｃｍの範囲内にあることを特徴とする。
請求項９に係る発明の美容補助具は、前記弾性構造体が、ＪＩＳ  Ｌ  １０９６に準拠した１００％伸長回復率で５０％〜１００％であることを特徴とする。
請求項１０に係る発明の美容補助具は、前記スリット線がその上端部が下端部より左右に広がる方向に傾斜しており、少なくとも２個のスリット線が平行に設けられていることを特徴とする。
請求項１１に係る発明の美容補助具は、前記スリット線の形状が左右対称のノの字形であることを特徴とする。
請求項１２に係る発明の美容補助具は、前記被覆体の保持部の長さがその両端部で接合できる長さであることを特徴とする。
請求項１３に係る発明の美容補助具は、前記保持部の端部の下方部が上方部より長いことを特徴とする。
請求項１４に係る発明の美容補助具は、前記上方部及び下方部に接合部が設けられていることを特徴とする。
請求項１５に係る発明の美容補助具は、前記接合部が面ファスナー、フック、ボタン又は粘着性テープからなることを特徴とする。
請求項１６に係る発明の美容補助具は、前記美容補助具が保持部の短い被覆体とヘアーバンド部からなり、該被覆体の両端部に接合部を有することを特徴とする。
請求項１７に係る発明の美容補助具は、前記ヘアーバンド部が帯状体でその両端部と中間部に接合部を有する。
請求項１８に係る発明の美容補助具は、前記ヘアーバンド部が輪状体でその中間部に接合部を有することを特徴とする。
請求項１９に係る発明の美容補助具は、前記弾性構造体が、ポリウレタン樹脂、ナイロン樹脂、ポリエステル樹脂、シリコン樹脂、ＮＲ、ＮＢＲから選ばれた少なくとも１つの素材から形成されたものであることを特徴とする。
【発明の効果】
【００１１】
本発明の美容補助具は、装着時に被覆体が下顎の先端に当接する中央部から被覆体の両端部である保持部側へ引っ張り上げられるので、耳から下の表情筋を引き上げて引き締めることができる。
美容補助具を装着するだけで顔の大きさ、起伏など個人特有の立体形状に拘わらず、表情筋全体を引き締めることで、顔の筋肉の弛みの矯正、皺の伸展等を予防し改善することができ、そして、美容補助具が顔から外れることがなくなり、装着した際のフィット感が大変に良いという効果を奏する。
美容補助具は、簡単な構造であるために製造コストの削減及び作成する作業時間の省力化が図れるものである。
【発明を実施するための最良の形態】
【００１２】
以下、本発明の美容補助具の第１、第２及び第３の実施形態の基本骨格を図２に基づいて説明する。
図２は、本発明の第１、第２及び第３の実施形態の美容補助具の基本骨格を示す平面図である。
本実施形態の美容補助具は、通気性を有しかつ等方的に伸縮性を有する弾性構造体、例えば、弾性繊維を主材とする不織布又は織編物から成っている。
【００１３】
前記美容補助具の被覆体１は、耳から下の表情筋を被覆する被覆部１０と該被覆部１０を顔に保持する保持部３０とからなり、その形状が緩いＶ字状の帯状体で、中心線Ｃを中心として左右対称である。該被覆部の中央部の幅が顎下部に当接する領域である下顎被覆部１０′まで延びており、前記被覆体１０の幅が該中央部から保持部３０に向かって狭くなっている。該保持部３０には、耳部を圧迫しないために耳が通る大きさの穴を有する三日月形穴の耳穴部３１が形成されている。三日月形穴に替えてスリット線でも良い。顎下部とは、図１で示す下顎の線から隠れた裏側の部位を指している。
【００１４】
図２の符号ｍは中心線Ｃに垂直に引いた線であり、その線は中央部の幅の中心Ｏを通る中心線を示している。符号ｎは前記緩いＶ字状の帯状体の上端と平行な平行線であり、その線は中心Ｏと交叉している。中心線ｍと平行線ｎが交叉する角度θは１０〜２０度の範囲、より好ましくは１２〜１８度の範囲にあれば、耳から下の表情筋を引き上げて引き締めることができる。前記角度θが１０度以下であると引っ張り上げる力が小さく、２０度以上であると帯状体の下端部と上端部の引っ張り上げる力が下端部の方が大きくなりすぎて、表情筋を均等に引っ張り上げることができない。
【００１５】
上記した美容補助具５０の第１、第２及び第３の実施形態の基本骨格は、前記被覆体１が弾性構造体からなる緩いＶ字状の帯状体で、その中央部の幅が他の帯状体の幅より広いという基本骨格を備えている。そして、前記保持部３０の両端部の形状には以下に述べる被覆体１の保持部の長さが長い第１実施形態、その長さが短い第２の実施形態、そして、その長さが最も短い第３の実施形態がある。
以下にその第１、第２及び第３の実施形態を説明する。
【００１６】
図３は被覆体１の保持部の長さが長い第１の実施形態の美容補助具の平面図である。美容補助具５０の基本骨格は既述したので説明を省略する。
前記保持部３０の両端部には両同士を接合するための接合部３２、３２′が設けられ、該接合部３２、３２′は保持部３０の上方部分３０ａ及び下方部分３０ｂに設けられている。この接合部３２、３２′によって、顔に美容補助具５０を装着する際に被覆体１の伸張力を調整することができる。前記接合部３２、３２′としては、例えば、面ファスナー、フック、ボタン或いは粘着性テープ等から適宜選択することができるが、伸張力の調整のし易さから面ファスナーが好ましい。
【００１７】
そして、前記保持部３０の端部はその下方部分３０ｂが上方部分３０ａより長く構成されていて、そのことにより、顔に美容補助具５０を装着する場合、接合部３２によって被覆体１の伸張力を調整した後に、接合部３２′による調整を前記接合部３２より強く調整することで、前記下顎被覆部１０′の下端部の伸張力が増して、図４に示すように前記下顎被覆部１０′が顎下部にピッタリと当接された状態で装着される。そして、下顎被覆部１０′の下端部の伸張力が増すことにより、前記被覆部１０の中心線Ｃ近傍の上部が下方に引っ張られ、該上部が鼻を押し上げることはない。
【００１８】
図４及び図５は第１の実施形態の美容補助具５０を顔に装着させた側面図で、図５は美容補助具５０を顔に装着さる位置を図４と異なる後頭部の先端より下の位置に装着した側面図で、図６はその正面図である。
美容補助具５０を顔に装着する手順について、そして、該美容補助具５０を装着した場合に、被覆体１によって被覆される顔の筋肉の状態について、図４を参照して説明する。
【００１９】
最初に、保持部３０の両端部を把持して、被覆部１０の中心線Ｃの下顎被覆部１０′を顎下部にあてがい、下顎、口及び頬を支える表情筋に被覆部１０をピッタリと当接させて斜め上方に両端部を引き上げる。前記耳穴部３１が耳の位置にきたら穴に耳を通過させ、前記位置合わせ部３１′の直線と耳の外耳とを一致させて、更に斜め上方に両端部を引き上げる。前記保持部３０の上方部分３０ａで伸張力を調整しながら適切と思われるところで、両端部の前記接合部３２を固定する。そして、調整した後、下方部分３０ｂで伸張力をより強く調整して、下顎被覆部１０′の下端部の伸張力を増すことにより、前記被覆部１０の中心線Ｃの下顎被覆部１０′が顎下部にピッタリと当接されると共に、その上部が下方に引っ張られて鼻を押し上げることがない位置まで伸張力を調整する。
この様にして顔に被覆体１を装着することにより、後頭部の凸状部分に圧接された前記保持部３０は、図４に示すように、凸状部分の面に対して斜め上方に引張力を作用させることができる。
【００２０】
図４の一点鎖線Ｌは、下顎の先端から後頭部に向かって最も長い距離の線であることを示している。即ち、この一点鎖線Ｌは、下顎の先端から後頭部の先端に向かって最も長い距離の線で、この一点鎖線Ｌが交差する下顎の先端部Ａ及び後頭部の先端部Ｂを通っていることが分かる。以下、この最も長い距離の線である一点鎖線Ｌを「下顎と後頭部の先端部位通過線」と定義し、その通過線に対応する被覆体１の外周長さを「下顎及び後頭部の先端部位外周長さ」と定義する。従って、この下顎及び後頭部の先端部位外周長さに沿って美容補助具５０を装着することが、耳から下の全ての表情筋を斜め上方に引き上げて引き締めることができ、また、美容補助具５０が顔面から外れない。
その理由は、図４の側面図が示すように、人間の頭部側面形状は略楕円形であり、その形状に被覆体１を装着するには、下顎及び後頭部の先端部位外周長さに沿うように装着することで、該被覆体１が安定した位置に装着される。更に、前記被覆体１がその位置に装着されることで、以下に詳説するが、耳から下の全ての表情筋を斜め上方に引き上げて引き締めることができる。
【００２１】
被覆体１によって引き上げて引き締める顔の筋肉を説明する。図４に示す符号ａ〜ｇは、図１の筋組織で示した筋肉の符号と一致している。
被覆体１を顔に装着することにより、前記保持部３０が接している先端部Ｂを通過する先端部位外周長さに対して、斜め上方に引張力Ｆが作用するので、該被覆体１に被覆された表情筋である、（ａ）眼輪筋、（ｂ）小頬骨筋（ｃ）大頬骨筋、（ｄ）頬筋、（ｅ）口輪筋、（ｆ）笑筋及び（ｇ）オトガイ筋が斜め上方に引き上げられることが理解できる。図１と図４を対比してみると一層分かるように、被覆体１に被覆された表情筋は、耳から下の全ての表情筋が含まれていることが分かる。
【００２２】
このように被覆体１が緩いＶ字状の帯状体でその幅は顎下部に当接する中央部が広く、両端部に行くに従い少しずつ狭い形状で、耳から下の全ての表情筋を被覆する大きさを有するので、耳から下の全ての表情筋を斜め上方に引き上げて引き締めることができる。
そして、美容補助具５０が前記先端部位外周長さに合わせて先端部Ａ及び先端部Ｂ間に装着することで、他の部位に装着するよりも遙かに安定しており、美容補助具５０が顔から外れなることがなく、又、上記したように、上方部分３０ａを調整することにより、前記被覆部１０の中心線Ｃ近傍の下部が顎下部にピッタリと当接されると共に、その上部が鼻を押し上げることがない位置まで調整できるので、美容補助具５０を装着したフィット感が良好なものとなっている。
【００２３】
図５は第１の実施形態の被覆体１を顔に装着させる位置を図４と異なる後頭部の先端より下の位置に装着した側面図である。
個人差、例えば年齢差等に応じて被覆体１を後頭部の先端より下の位置に装着しても良い。その場合の被覆体１によって被覆される顔の筋肉の状態について図５を参照しながら説明する。図４に示した被覆体１は、一点鎖線Ｌに対応する下顎及び後頭部の先端部位外周長さに沿った位置に装着したが、図５の一点鎖線Ｍは前記先端部Ａと耳介裏側の最長の部位Ｄの位置に装着しても良い。一点鎖線Ｍは、下顎の先端部から耳介の裏側の位置でその長さが最も長い位置Ｄを通って引かれている。その位置Ｄは耳介の裏側の上端部付近にあり、図５に示す符号Ｄの位置である。
被覆体１を顔に装着することにより、前記保持部３０が接している下顎及び後頭部の先端部位外周長さに対して、斜め上方に引張力Ｆが作用するので、該被覆体１に被覆された表情筋である、（ａ）眼輪筋、（ｂ）小頬骨筋（ｃ）大頬骨筋、（ｄ）頬筋、（ｅ）口輪筋、（ｆ）笑筋及び（ｇ）オトガイ筋が、図４に示す引き上げ方向より緩やかな方向に引き上げられることが理解できる。その装着の際には、被覆体１が後頭部の図４に示した先端部Ｂを覆うように装着することで、顔から外れることがなくなり、装着した際のフィット感が大変に良い。
【００２４】
なお、被覆体１の形状を中央部である被覆部１０及び下顎被覆部１０′が広く、両端部である保持部３０の端部に行くに従い僅かに狭い形状の実施形態を説明したが、前記保持部３０の形状は幅が略同一であっても良い。被覆体１の形状は、被覆部１０及び下顎被覆部１０′と保持部３０とで、耳から下の全ての表情筋を被覆できる大きさの形状であれば良い。
【００２５】
前記被覆体を構成する等方的に伸縮性を有する弾性構造体は、それぞれの方向における１００％伸長の応力が、１０ｇ／ｃｍ〜１０００ｇ／ｃｍの範囲であることが好ましく、１００ｇ／ｃｍ〜９００ｇ／ｃｍの範囲であることがより好ましい。
１００％伸長の応力が、上記範囲内にあれば、顔の筋肉組織を引き上げ易くなる。
尚、１００％伸長の応力は、ＪＩＳ  Ｌ  １０９６に準拠して測定される。
また、前記被覆体を構成する弾性構造体としては、ＪＩＳ  Ｌ  １０９６に準拠した１００％伸長回復率が５０％〜１００％であり、好ましくは６０％〜９０％である。
【００２６】
前記弾性構造体を形成する素材としては、ポリウレタン樹脂、ナイロン樹脂、ポリエステル樹脂、シリコン樹脂、ＮＲ、ＮＢＲ等が挙げられる。前記ポリエステル樹脂としては、例えばポリエチレンテレフタレート（ＰＥＴ）、ポリブチレンテレフタレート（ＰＢＴ）、ポリテトラメチレンテレフタレート（ＰＴＴ）等が挙げられる。
上記の如き各弾性構造体として、ＪＩＳ  Ｌ  １０９６に準拠した１００％伸長回復率で５０％〜１００％となるように加工（例えば、不織布の形状、織物の形状、シートの形状、筒編みの形状等）したものを適宜用いることができる。
具体的には、伸縮性ウレタン不織布（ＫＢセーレン株式会社製、商品名「エスパンシオーネ」）等が挙げられる。
【００２７】
第１の実施形態の美容補助具５０は、その保持部３０の両端部に上方部分３０ａ及び下方部分３０ｂが設けられ、その各部分に接合部３２、３２′の二つが設けられた例を説明したが、この例に限定されるものではなく、例えば、保持部３０の両端部は、上方部分３０ａ及び下方部分３０ｂの代わりに、その上方、下方部分を設けない両端部に接合部を一つ設けたものでも良い。この美容補助具５０を顔に装着させる方法は、上記した第１の実施形態の美容補助具５０の方法と同じである。
そして、前記被覆体１の緩いＶ字状の帯状体の代わりに緩いＶ字状の輪状体を用いても良い。緩いＶ字状の輪状体であれば、図４に示した一点鎖線Ｌに合わせて美容補助具５０を前記先端部Ａ及び先端部Ｂに装着するだけで良く、接合部を設ける必要がない。この美容補助具５０を顔に装着させる方法は、一点鎖線Ｌに合わせて前記先端部Ａ及び先端部Ｂに、被覆体１を下顎、口及び頬を支える表情筋にピッタリと当接した後に、頭頂部近辺に被覆して当接している被覆体１を斜め上方に引っ張り上げて延ばし、引っ張って延びた部分を挟持固定具で両側から挟んで止める。
【００２８】
図８は被覆体１の保持部の長さが短い第２の実施形態の美容補助具の平面図である。
第２の実施形態の美容補助具は、図８Ａに示すように、下顎、口及び頬を支える表情筋を被覆する被覆体１−１及びそこから延びている長さが短い保持部３０と、図８Ｂに示すように、その被覆体１−１を支持するヘアーバンド部１−２の二つの別体の部材から構成されている。
【００２９】
前記美容補助具は、口及び頬を被覆する被覆部１０及び該被覆部１０の下方の顎下部を被覆する下顎被覆部１０′からなる被覆体１−１と、該被覆部１０を着用者の顔に保持させるための保持部３０と、該被覆部１０と保持部３０との間には、耳部を圧迫しないために穴をあけ、その穴に耳を通す耳穴部３１と、その耳穴部３１と耳の位置を合わせることにより、被覆体１を頭部に装着するのに適切な位置を合わせることができる位置合わせ部３１′とを備えており、この第２の実施形態の美容補助具は、図２に示した第１の実施形態の美容補助具の基本骨格と同じ構成である。
しかし、前記第２の実施形態の保持部３０の長さは第１の実施形態の保持部３０の長さより短く、耳穴部３１から僅かに延びた位置で保持部３０がほぼ垂直に切断されている。その切断された端部の両端に中心線Ｃに線対称の位置に面ファスナー等の接合部４０が固着されている。
【００３０】
前記ヘアーバンド部１−２は、図８Ｂに示すように、長方形状の帯状体からなり、その帯状体の面上に、中心線Ｃに線対称の位置に面ファスナー等の第１接合部４１、第２接合部４２が固着されている。前記被覆体１−１の接合部４０は、前記ヘアーバンド部１−２の第１接合部４１に結着するために設けられている。前記ヘアーバンド部１−２の第２接合部４２は、帯状体の両端部を結着するために設けられている。そして、このヘアーバンド部１−２は、被覆体１−１の両端部を図８に示す一点鎖線Ｌの斜め上方向に引っ張り上げて、接合部４０と第１接合部４１同士を接合する。この図に示すように、頭に装着されたヘアーバンド部１−２の第１接合部４１は、側頭部の中間部に位置していることが分かる。そこで、該ヘアーバンド部１−２に対する第１接合部４１の位置を、「ヘアーバンド部の中間部」と称する。その位置が下方に移動しないために、素材として伸縮性の小さい織物又は不織布を用いることが好ましい。
なお、上記の実施形態では、ヘアーバンド部１−２を帯状体として説明したが、輪状体を用いてもよく、該ヘアーバンド部１−２が輪状体であれば、第２接合部４２の必要がないことは明らかである。
【００３１】
図９及び図１０は第２の実施形態の美容補助具５０を顔に装着させた側面図で、図１０は美容補助具５０を顔に装着さる位置を図９と異なる後頭部の先端より下の位置に装着した側面図で、図１１はその正面図である。
前記先端部Ａ及び先端部Ｂの一点鎖線Ｌ又は前記先端Ａ及び耳介の裏側の最長の部位Ｄを通る一点鎖線Ｍに合わせて美容補助具５０を装着することで、耳から下の全ての表情筋を斜め上方に引き上げることができることは、図４及び図５を参照して説明した通りである。この原理は第２の実施形態の美容補助具５０にも当てはまるものである。
最初に、帯状体のヘアーバンド部１−２を用いた場合の装着の仕方について説明する。該ヘアーバンド部１−２の第２接合部４２を頭の大きさに合わせて接合させ、そのヘアーバンド部１−２の第１接合部４１に、前記被覆体１−１の両接合部４０を上方に引き上げながら顔にフィットさせ、適切な位置で第１接合部４１に接合させる。
次に、輪状体のヘアーバンド部１−２を用いた場合の装着の仕方は、該ヘアーバンド部１−２を頭にフィットさせた後に、前記被覆体１−１の両接合部４０を上方に引き上げながら顔にフィットさせ、適切な位置で第１接合部４１に接合させればよい。
【００３２】
図１２は被覆体１の保持部の長さが最も短い第３の実施形態の美容補助具の平面図である。
美容補助具５０は等方的に伸縮弾性を有し、通気性を有する弾性構造体シートからなり、その形状が緩いＶ字状の帯状体で左右対称であり、前記耳から下の表情筋を被覆する被覆部１０と、該被覆部１０を顔に保持する保持部３０を備えており、被覆部１０の中央部の下方には下顎被覆部１０′があり、幅が顎下部に当接する領域まで広く延びている。保持部３０の両端部にはスリット線からなる耳穴部３１があり、その耳穴部３１に耳を掛けて美容補助具５０を装着するものである。被覆体において、顎部を当接する位置を明示するように、種々のマーキング又は識別部位を設けることもできる。
該被覆体を構成するシートは、第１、第２の実施形態で説明したように、通気性を具備し、伸縮弾性を有する前述のシート材であればよく、具体例として、不織布、織物、編み物のような繊維シートを使用することができる。
これらの中で、等方的な伸縮弾性を得るために繊維配向が特定方向に偏らないよう、等方的に繊維が配列された不織布シートが好ましい。該不織布シートは製造コストを考慮し単層のシートとすることができる。
【００３３】
耳穴部３１は左右対称のノの字形のスリット線であり、少なくとも２個のスリット線が平行に設けられている。これは使用者各人の顔の大きさに応じて、装着時に、美容補助具５０の引張力Ｆを調整できるように、耳穴部３１が美容補助具５０の両側に少なくとも２個のスリット線が設けられている。勿論、３箇所以上設けて微調整できるようにしても良い。
耳穴部３１は、図１２では左右対称のノの字形のスリット線となっているが、このスリット線の傾斜角度と上先端部の位置が重要である。既に知られているパック用化粧用シート（特許文献３参照）のスリット線のように垂直又は水平ではなく、スリット線の上端部が下端部より左右に広がる方向に傾斜していること、また、前記上先端部の位置が保持部３０の幅の半分の位置より上にあることが重要である。
【００３４】
図１２を参照して上記重要な理由を以下に説明する。図１２の２個の○印の内の下の大きな○印Ｘは下顎の先端に当接する部位を示し、上の小さな○印ｙは耳介裏側の最長の通過線に沿って当接する部位を示している。美容補助具５０の装着時には、下顎の先端に当接している大きな○印Ｘと耳介裏側に当接している小さな○印ｙとの間に引張力Ｆが作用するが、具体的には、下顎の当接部と耳介裏側の当接部間に装着している、美容補助具５０の外周長さに対して斜め上方に引張力Ｆが作用するので、美容補助具５０に被覆された表情筋である、（ａ）眼輪筋、（ｂ）小頬骨筋（ｃ）大頬骨筋、（ｄ）頬筋、（ｅ）口輪筋、（ｆ）笑筋及び（ｇ）オトガイ筋が、後述する図１３に示す引き上げ方向に引き上げられる。
【００３５】
前記美容補助具５０はその形状が緩いＶ字状の帯状体で左右対称であるから、全体としてみて、両保持部３０、３０の位置が中央部の位置から上方にある。そのことにより、両耳穴部３１、３１の位置も中央部の位置から上方に設けることができるので、小さな○印ｙの位置を大きな○印Ｘから離れた距離に設けることで、引張力Ｆの働きを大きくすることができる。次に、スリット線の上端部が下端部より左右に広がる方向に傾斜させる理由を述べる。仮に、スリット線を上端部が下端部より左右に狭まる方向に傾斜させたとすれば、スリット線の下端部の位置から下顎の当接部Ｘの距離が最も長いことから、その間に引張力Ｆが働くが、引張力Ｆの働くベクトルの方向は、引っ張り上げる方向ではなく横に引っ張る方向である。
【００３６】
図１３は第３の実施形態の美容補助具を顔に装着させた側面図である。図５に示す一点鎖線Ｍに対応する下顎と耳介裏側の最長の外周長さに沿った位置に美容補助具５０を装着する。一点鎖線Ｍは、下顎の先端から耳介の裏側までの長さが最も長い位置Ｄを通って引かれている。その位置Ｄは耳介の裏側の上端部付近にあり、図１３に示す符号Ｄの位置である。
被覆体１を顔に装着することにより、前記保持部３０が接している下顎及び後頭部の先端部位外周長さに対して、斜め上方に引張力Ｆが作用するので、該被覆体１に被覆された表情筋である、（ａ）眼輪筋、（ｂ）小頬骨筋（ｃ）大頬骨筋、（ｄ）頬筋、（ｅ）口輪筋、（ｆ）笑筋及び（ｇ）オトガイ筋が、図４に示す引き上げ方向より緩やかな方向に引き上げられることが理解できる。その装着の際には、被覆体１が後頭部の先端部Ｂを覆うように装着することで、顔から外れることがなくなり、装着した際のフィット感が大変に良い。
図１４は美容液を含有するフェイスマスクを先に顔面に貼付した状態で、その上から美容補助具を装着した正面図である。皺や弛みの目立ちやすい頬や顎付近を引き締めた状態でパックすると一層美容効果を高めることができる。
【００３７】
次に、図１２を参照しながら第３の実施形態の美容補助具の長さを説明する。
美容補助具の横幅は約３１０mm、帯状体の下端部から上端部の最大高さまでの距離は約１１５mmである。耳介裏側の最長の通過線に沿って当接する両部位ｙ間の距離は約２５０mmであり、該部位ｙと下顎の先端に当接する部位Ｘ間の距離は約１５０mmであるから、その倍の約３００mmの長さの帯状体が装着した際に耳から下の表情筋を引っ張り上げることになる。そして、耳介裏側の最長の通過線に沿って当接する部位ｙから、下顎の先端に当接する部位Ｘを通って他の部位ｙまでの距離は、個人差はあるが、３４０〜３９０mmである。その距離を３６０mmとした場合、計算上では美容補助具が３６０／３００＝１．２倍延びることになる。
【００３８】
該繊維シートの引っ張り物性は、好ましくは、それぞれの方向における１００％伸長の応力が、１０ｇ／ｃｍ〜１０００ｇ／ｃｍの範囲内にあることが引き締め効果の点で適当である。さらには、１００ｇ／ｃｍ〜９００ｇ／ｃｍの範囲であることがより好ましい。
また、ＪＩＳ  Ｌ  １０９６に準拠した測定法で１００％伸長回復率が５０％〜１００％の範囲であることが好ましい。さらに好ましくは、６０％〜９０％の範囲であると、引き締め効果が顕著となる。
このような特性を具備するシート材として、例えば、伸縮性ウレタン不織布（ＫＢセーレン株式会社製、商品名「エスパンシオーネ」）等が挙げられる。
【００３９】
上記した第１、第２及び第３の実施形態の記載内容から分かるように、本発明の美容補助具は、被覆部及び保持部からなる緩いＶ字状の帯状体で左右対称であることで、耳から下の表情筋に該美容補助具を装着するだけで、被覆部の中央部に当接する下顎の先端から保持部側へ引っ張り上げる引張力が働き、表情筋を引き締めることができるので、顔の筋肉の弛みの矯正、皺の伸展等を予防し改善することができる。そして、美容補助具が顔から外れることがなくなり、装着した際のフィット感が大変に良いものである。
本発明の美容補助具は、下顎の先端から後頭部の斜め上方向に引っ張り上げられるとき、被覆体が等方的に伸縮弾性を有すると、装着者個人の顔の大きさや立体形状の違いにも追随して、引き締め応力が表情筋全体に万遍なく亘るように発生し、発生部位に個人差が大きく認められる皺、弛みでも効果的に引き締めることができる。
さらに、必要に応じて美容液を含有するフェイスマスクを先に顔面に貼付した状態で、その上からこの美容補助具を装着することもできる。皺や弛みの目立ちやすい頬や顎付近を引き締めた状態でパックすると一層美容効果を高めることができる。
そして、美容補助具１は、簡単な構造であるために製造コストが削減でき、又、作成す
る作業時間がかからないものである。
【図面の簡単な説明】
【００４０】
【図１】人間の顔の筋組織を示す説明図。
【図２】美容補助具の基本骨格を示す平面図。
【図３】第１の実施形態の美容補助具の平面図。
【図４】美容補助具を顔に装着させた側面図。
【図５】美容補助具を図４と異なる後頭部の先端より下の位置に装着させた側面図。
【図６】美容補助具を顔に装着させた正面図。
【図７】緩いＶ字状の帯状体の下顎被覆部が顎下部を被覆して当接する状態を説明する説明図。
【図８】第２の実施形態の美容補助具の平面図。
【図９】美容補助具を顔に装着させた側面図。
【図１０】美容補助具を図４と異なる後頭部の先端より下の位置に装着させた側面図。
【図１１】美容補助具を顔に装着させた正面図。
【図１２】第３の実施形態の美容補助具の平面図。
【図１３】美容補助具を顔に装着させた側面図。
【図１４】フェイスマスクの上から美容補助具を装着させた正面図。
【符号の説明】
【００４１】
１        被覆体
１−１    被覆体
１−２    ヘアーバンド部
１０      被覆部
１０′      下顎被覆部
３０      保持部
３０ａ    上方部分
３０ｂ    下方部分
３１      耳穴部（耳掛け部）
３１′    位置合わせ部
３２      接合部
３２′    接合部
４０      接合部
４１      第１接合部
４２      第２接合部
５０      美容補助具
【図１】
0005343247.tif 000002
【図２】
0005343247.tif 000003
【図３】
0005343247.tif 000004
【図４】
0005343247.tif 000005
【図５】
0005343247.tif 000006
【図６】
0005343247.tif 000007
【図７】
0005343247.tif 000008
【図８】
0005343247.tif 000009
【図９】
0005343247.tif 000010
【図１０】
0005343247.tif 000011
【図１１】
0005343247.tif 000012
【図１２】
0005343247.tif 000013
【図１３】
0005343247.tif 000014
【図１４】
0005343247.tif 000015